(57)【要約】  端末装置は、少なくとも第１の物理信号および／または第２の物理信号を受信する受信部を備え、前記第１の物理信号は第１の期間において生じ、前記第１の期間において前記第１の物理信号は第１のビームに対応し、前記第１の期間において前記第２の物理信号が生じる場合に、前記第２の物理信号は前記第１のビームに対応し、第２の期間において前記第２の物理信号が生じる場合に、前記第２の物理信号は第２のビームに対応する。
2018159588.tif 000002
【特許請求の範囲】
【請求項１】
第２の物理信号をスケジューリングするために用いられる第１の物理信号を受信する受信部を備え、
前記第２の物理信号に対応する受信ビームは、前記第２の物理信号が発生するタイミングに基づいて与えられ、
前記第２の物理信号が前記受信ビームと対応することは、前記第２の物理信号がマップされる第１のアンテナポートと、前記受信ビームに対応するアンテナポートがＱＣＬであることである
端末装置。
【請求項２】
前記第２の物理信号が所定のタイミングにおいて発生する場合、前記受信ビームは下りリンク制御情報に少なくとも基づき与えられる
請求項１に記載の端末装置。
【請求項３】
第２の物理信号をスケジューリングするために用いられる第１の物理信号を送信する送信部を備え、
前記第２の物理信号に対応する送信ビームは、前記第２の物理信号が発生するタイミングに基づいて与えられ、
前記第２の物理信号が前記送信ビームと対応することは、前記第２の物理信号がマップされる第１のアンテナポートと、前記送信ビームに対応するアンテナポートがＱＣＬであることである
基地局装置。
【請求項４】
前記第２の物理信号が所定のタイミングにおいて発生する場合、前記送信ビームは下りリンク制御情報に少なくとも基づき示される
請求項３に記載の基地局装置。
【請求項５】
端末装置の通信方法であって、
第２の物理信号をスケジューリングするために用いられる第１の物理信号を受信するステップを備え、
前記第２の物理信号に対応する受信ビームは、前記第２の物理信号が発生するタイミングに基づいて与えられ、
前記第２の物理信号が前記受信ビームと対応することは、前記第２の物理信号がマップされる第１のアンテナポートと、前記受信ビームに対応するアンテナポートがＱＣＬであることである
通信方法。
【請求項６】
基地局装置の通信方法であって、
第２の物理信号をスケジューリングするために用いられる第１の物理信号を送信するステップを備え、
前記第２の物理信号に対応する送信ビームは、前記第２の物理信号が発生するタイミングに基づいて与えられ、
前記第２の物理信号が前記送信ビームと対応することは、前記第２の物理信号がマップされる第１のアンテナポートと、前記送信ビームに対応するアンテナポートがＱＣＬであることである
通信方法。
【発明の詳細な説明】
【技術分野】
【０００１】
本発明は、端末装置、基地局装置、および、通信方法に関する。
本願は、２０１７年３月２日に日本に出願された特願２０１７−０３９４０９号について優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access: EUTRA」と称する。）が、第三世代パートナーシッププロジェクト（3rd Generation Partnership Project: 3GPP）において検討されている。ＬＴＥにおいて、基地局装置はｅＮｏｄｅＢ（evolved NodeB）、端末装置はＵＥ（User Equipment）とも呼称される。ＬＴＥは、基地局装置がカバーするエリアをセル状に複数配置するセルラー通信システムである。単一の基地局装置は複数のセルを管理してもよい。【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われている（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満たすことが求められている。
【先行技術文献】
【非特許文献】
【０００４】
【非特許文献１】"New SID proposal: Study on New Radio Access Technology", RP-160671, NTT docomo, 3GPP TSG RAN Meeting#71, Goteborg, Sweden, 7th - 10th March, 2016.
【発明の概要】
【発明が解決しようとする課題】
【０００５】
本発明の一態様は、効率的に下りリンク受信を行うことができる端末装置、該端末装置に用いられる通信方法、効率的に下りリンク送信を行うことができる基地局装置、および、該基地局装置に用いられる通信方法を提供する。
【課題を解決するための手段】
【０００６】
（１）本発明の第１の態様は、端末装置であって、第２の物理信号をスケジューリングするために用いられる第１の物理信号を受信する受信部を備え、前記第２の物理信号に対応する受信ビームは、前記第２の物理信号が発生するタイミングに基づいて与えられ、前記第２の物理信号が前記受信ビームと対応することは、前記第２の物理信号がマップされる第１のアンテナポートと、前記受信ビームに対応するアンテナポートがＱＣＬであることである。【０００７】
（２）本発明の第２の態様は、上記端末装置であって、前記第２の物理信号が所定のタイミングにおいて発生する場合、前記受信ビームは下りリンク制御情報に少なくとも基づき与えられる。【０００８】
（３）本発明の第３の態様は、基地局装置であって、第２の物理信号をスケジューリングするために用いられる第１の物理信号を送信する送信部を備え、前記第２の物理信号に対応する送信ビームは、前記第２の物理信号が発生するタイミングに基づいて与えられ、前記第２の物理信号が前記送信ビームと対応することは、前記第２の物理信号がマップされる第１のアンテナポートと、前記送信ビームに対応するアンテナポートがＱＣＬであることである。【０００９】
（４）本発明の第４の態様は、上記基地局装置であって、前記第２の物理信号が所定のタイミングにおいて発生する場合、前記送信ビームは下りリンク制御情報に少なくとも基づき示される。【００１０】
（５）本発明の第５の態様は、端末装置の通信方法であって、第２の物理信号をスケジューリングするために用いられる第１の物理信号を受信するステップを備え、前記第２の物理信号に対応する受信ビームは、前記第２の物理信号が発生するタイミングに基づいて与えられ、前記第２の物理信号が前記受信ビームと対応することは、前記第２の物理信号がマップされる第１のアンテナポートと、前記受信ビームに対応するアンテナポートがＱＣＬであることである。【００１１】
（６）本発明の第６の態様は、基地局装置の通信方法であって、第２の物理信号をスケジューリングするために用いられる第１の物理信号を送信するステップを備え、前記第２の物理信号に対応する送信ビームは、前記第２の物理信号が発生するタイミングに基づいて与えられ、前記第２の物理信号が前記送信ビームと対応することは、前記第２の物理信号がマップされる第１のアンテナポートと、前記送信ビームに対応するアンテナポートがＱＣＬであることである。
【発明の効果】
【００１２】
この発明によれば、端末装置は効率的に下りリンク受信を行うことができる。また、基地局装置は効率的に下りリンク送信を行うことができる。
【図面の簡単な説明】
【００１３】
【図１】本実施形態の一態様に係る無線通信システムの概念図である。
【図２】本実施形態の一態様に係る無線フレーム、サブフレーム、および、スロットの構成を示す一例である。
【図３】本実施形態の一態様に係るスロットとミニスロットの構成例を示す図である。
【図４】本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。
【図５】本実施形態の一態様に係る第２の初期接続手順（２−ｓｔｅｐ  ｃｏｎｔｅｎｔｉｏｎ  ｂａｓｅｄ  ＲＡＣＨ  ｐｒｏｃｅｄｕｒｅ）の一例を示す図である。
【図６】本実施形態の一態様に係るスロットに含まれるリソースエレメントの一例を示した図である。
【図７】本実施形態の一態様に係る下りリンク送信における端末装置１および基地局装置３のビームの対応関係の一例を示す図である。
【図８】本実施形態の一態様に係るスロットに含まれる物理信号と受信ビームの対応関係の例を示す図である。
【図９】本実施形態の一態様に係る端末装置１の構成例を示す概略ブロック図である。
【図１０】本実施形態の一態様に係る基地局装置３の構成例を示す概略ブロック図である。
【発明を実施するための形態】
【００１４】
以下、本発明の実施形態について説明する。
【００１５】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１６】
以下、端末装置１、および、基地局装置３の間の通信に関する種々の無線パラメータについて説明する。ここで、少なくとも一部の無線パラメータ（例えば、サブキャリア間隔（ＳＣＳ：Ｓｕｂｃａｒｒｉｅｒ  Ｓｐａｃｉｎｇ））は、Ｎｕｍｅｒｏｌｏｇｙとも呼称される。無線パラメータは、サブキャリア間隔、ＯＦＤＭシンボルの長さ、サブフレームの長さ、スロットの長さ、および、ミニスロットの長さの少なくとも一部を含む。
【００１７】
サブキャリア間隔は、参照サブキャリア間隔（Ｒｅｆｅｒｅｎｃｅ  ＳＣＳ、Ｒｅｆｅｒｅｎｃｅ  Ｎｕｍｅｒｏｌｏｇｙ）、および、実際の無線通信に使用される通信方式のためのサブキャリア間隔（Ａｃｔｕａｌ  ＳＣＳ、Ａｃｔｕａｌ  Ｎｕｍｅｒｏｌｏｇｙ）の２つに分類されてもよい。参照サブキャリア間隔は、無線パラメータの少なくとも一部を決定するために用いられてもよい。例えば、参照サブキャリア間隔は、サブフレームの長さを設定するために用いられる。参照サブキャリア間隔に基づくサブフレームの長さの決定方法は後述される。ここで、参照サブキャリア間隔は、例えば、１５ｋＨｚである。
【００１８】
実際の無線通信に使用されるサブキャリア間隔は、端末装置１と基地局装置３の間の無通信に使用される通信方式（例えば、ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ：Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ、ＤＦＴ−ｓ−ＯＦＤＭ：Ｄｉｓｃｒｅｔｅ  Ｆｏｕｒｉｅｒ  Ｔｒａｎｓｆｏｒｍ  −  ｓｐｒｅａｄ  −  ＯＦＤＭ）のための無線パラメータの１つである。以下では、参照サブキャリア間隔を第１のサブキャリア間隔とも呼称する。また、実際の無線通信に使用されるサブキャリア間隔を第２のサブキャリア間隔とも呼称する。
【００１９】
図２は、本実施形態の一態様に係る無線フレーム、サブフレーム、および、スロットの構成を示す一例である。図２に示す一例では、スロットの長さは０．５ｍｓであり、サブフレームの長さは１ｍｓであり、無線フレームの長さは１０ｍｓである。スロットは、時間領域におけるリソース割り当ての単位であってもよい。例えば、スロットは、トランスポートブロックがマップされる単位であってもよい。例えば、トランスポートブロックは、１つのスロットにマップされてもよい。ここで、トランスポートブロックは、上位層（例えば、ＭＡＣ：Ｍｅｄｉａｍ  Ａｃｃｅｓｓ  Ｃｏｎｔｒｏｌ）で規定される所定の間隔（例えば、送信時間間隔（ＴＴＩ：Ｔｒａｎｓｍｉｓｓｉｏｎ  Ｔｉｍｅ  Ｉｎｔｅｒｖａｌ））内に送信されるデータの単位であってもよい。また、トランスポートブロックは、データブロック、トランスポートデータ、送信データ、送信符号、送信ブロック、ペイロード、情報、情報ブロック、符号化データ、下りリンクデータ、上りリンクデータのいずれかであってもよい。
【００２０】
例えば、スロットの長さは、ＯＦＤＭシンボルの数によって与えられてもよい。例えば、ＯＦＤＭシンボルの数は、７、または、１４であってもよい。スロットの長さは、少なくともＯＦＤＭシンボルの長さに基づき与えられてもよい。ＯＦＤＭシンボルの長さは、第２のサブキャリア間隔に少なくとも基づき異なってもよい。また、ＯＦＤＭシンボルの長さは、ＯＦＤＭシンボルの生成に用いられる高速フーリエ変換（ＦＦＴ：Ｆａｓｔ  Ｆｏｕｒｉｅｒ  Ｔｒａｎｓｆｏｒｍ）のポイント数に少なくとも基づき与えられてもよい。また、ＯＦＤＭシンボルの長さは、該ＯＦＤＭシンボルに付加されるサイクリックプレフィックス（ＣＰ：Ｃｙｃｌｉｃ  Ｐｒｅｆｉｘ）の長さを含んでもよい。ここで、ＯＦＤＭシンボルは、シンボルと呼称されてもよい。また、端末装置１と基地局装置３の間の通信において、ＯＦＤＭ以外の通信方式が使用される場合（例えば、ＳＣ−ＦＤＭＡやＤＦＴ−ｓ−ＯＦＤＭが使用される場合等）、生成されるＳＣ−ＦＤＭＡシンボル、および／または、ＤＦＴ−ｓ−ＯＦＤＭシンボルはＯＦＤＭシンボルとも呼称される。ここで、例えば、スロットの長さは、０．２５ｍｓ、０．５ｍｓ、１ｍｓ、２ｍｓ、３ｍｓであってもよい。
【００２１】
また、スロットの長さは、サブキャリア間隔、ＯＦＤＭシンボルに付加されるＣＰの種類に少なくとも基づいて決定されてもよい。また、サブキャリア間隔は、スロットの長さ、および、ＯＦＤＭシンボルに付加されるＣＰの種類に少なくとも基づいて決定されてもよい。
【００２２】
ここで、ＯＦＤＭは、波形整形（Ｐｕｌｓｅ  Ｓｈａｐｅ）、ＰＡＰＲ低減、帯域外輻射低減、または、フィルタリング、および／または、位相処理（例えば、位相回転等）が適用されたマルチキャリアの通信方式を含む。ここで、マルチキャリアの通信方式は、例えば、ＯＦＤＭである。また、マルチキャリアの通信方式は、複数のサブキャリアが多重された信号を生成／送信する通信方式であってもよい。
【００２３】
サブフレームの長さは、１ｍｓであってもよい。また、サブフレームの長さは、第１のサブキャリア間隔に基づき与えられてもよい。例えば、第１のサブキャリア間隔が１５ｋＨｚである場合、サブフレームの長さは１ｍｓであってもよい。サブフレームは、１、または、複数のスロットを含んでもよい。
【００２４】
無線フレームは、サブフレームの数によって与えられてもよい。無線フレームのためのサブフレームの数は、例えば、１０であってもよい。
【００２５】
図３は、本実施形態の一態様に係るスロットとミニスロットの構成例を示す図である。図３において、スロットを構成するＯＦＤＭシンボルの数は７である。ミニスロットは、スロットを構成するＯＦＤＭシンボルの数よりも小さいＯＦＤＭシンボルの数により構成されてもよい。また、ミニスロットは、スロットよりも短い長さであってもよい。図３は、ミニスロットの構成の一例として、ミニスロット＃０からミニスロット＃５を示している。ミニスロットは、ミニスロット＃０に示されるように、１つのＯＦＤＭシンボルにより構成されてもよい。また、ミニスロットは、ミニスロット＃１から＃３に示されるように２つのＯＦＤＭシンボルにより構成されてもよい。また、ミニスロット＃１とミニスロット＃２によって示されるように、２つのミニスロットの間にギャップが挿入されてもよい。また、ミニスロットは、ミニスロット＃５に示されるように、スロット＃０とスロット＃１の境界をまたいで構成されてもよい。つまり、ミニスロットはスロットの境界をまたいで構成されてもよい。ここで、ミニスロットは、サブスロットとも呼称される。また、ミニスロットは、ｓＴＴＩ（ｓｈｏｒｔ  ＴＴＩ：Ｔｒａｎｓｍｉｓｓｉｏｎ  Ｔｉｍｅ  Ｉｎｔｅｒｖａｌ）とも呼称される。また、以下では、スロットは、ミニスロットに読み替えられてもよい。ミニスロットは、スロットと同じＯＦＤＭシンボルの数により構成されてもよい。ミニスロットは、スロットを構成するＯＦＤＭシンボルの数よりも多いＯＦＤＭの数により構成されてもよい。ミニスロットの時間領域の長さは、スロットより短くてもよい。ミニスロットの時間領域の長さは、サブフレームより短くてもよい。スロットはＴＴＩとも呼称される。
【００２６】
以下、本実施形態に係る初期接続の手順の一例を説明する。
【００２７】
基地局装置３は、基地局装置３によって制御される通信可能範囲（または、通信エリア）を備える。通信可能範囲は、１、または、複数のセル（または、サービングセル、サブセル、ビーム等）に分割され、セルごとに端末装置１との通信を管理することができる。一方、端末装置１は、複数のセルの中から少なくとも１つのセルを選択し、基地局装置３と接続確立を試みる。ここで、端末装置１と基地局装置３の少なくとも１つのセルとの接続が確立された第１の状態は、ＲＲＣ接続（ＲＲＣ  Ｃｏｎｎｅｃｔｉｏｎ）とも呼称される。ここで、ＲＲＣはＲａｄｉｏ  Ｒｅｓｏｕｒｃｅ  Ｃｏｎｔｒｏｌである。また、端末装置１が基地局装置３のどのセルとの接続も確立されていない第２の状態は、ＲＲＣアイドルとも呼称される。また、端末装置１と基地局装置３の少なくとも１つのセルとの接続が確立されているが、端末装置１と基地局装置３の間で一部の機能が制限される第３の状態は、ＲＲＣ中断（ＲＲＣ  ｓｕｓｐｅｎｄｅｄ）とも呼称される。ＲＲＣ中断は、ＲＲＣ不活性（ＲＲＣ  ｉｎａｃｔｉｖｅ）とも呼称される。
【００２８】
ＲＲＣアイドルの端末装置１は、基地局装置３の少なくとも１つのセル（例えば、ターゲットセル）との接続確立を試みてもよい。図４は、本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。第１の初期接続手順は、ステップ５１０１〜５１０４の一部を少なくとも含んで構成される。
【００２９】
ステップ５１０１は、端末装置１がターゲットセルに物理チャネルを介して、初期接続のための応答を要求するステップである。または、ステップ５１０１は、端末装置１がターゲットセルに物理チャネルを介して最初の送信を行うステップである。ここで、該物理チャネルは、例えば、ＰＲＡＣＨ（Ｐｈｙｓｉｃａｌ  Ｒａｎｄｏｍ  Ａｃｃｅｓｓ  Ｃｈａｎｎｅｌ）であってもよい。該物理チャネルは、少なくとも初期接続のための応答を要求するために用いられるチャネルであってもよい。また、該物理チャネルは、ランダムアクセスチャネルとも呼称される。ここで、物理チャネル（または、チャネル）を介して情報が送信される動作は、物理チャネル（または、チャネル）が送信される、とも呼称される。
【００３０】
ＰＲＡＣＨは、ランダムアクセスプリアンブル（ランダムアクセスメッセージ１）を送信するために用いられてもよい。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨ（ＵＬ−ＳＣＨ）リソースの要求を示すために用いられてもよい。
【００３１】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成される。１つのセルにおいて、複数のランダムアクセスプリアンブルが定義されてもよい。ランダムアクセスプリアンブルは、ランダムアクセスプリアンブルのインデックスによって特定されてもよい。ランダムアクセスプリアンブルの異なるインデックスに対応する異なるランダムアクセスプリアンブルは、物理ルートシーケンスインデックスｕとサイクリックシフトの異なる組み合わせに対応する。物理ルートシーケンスインデックスｕ、および、サイクリックシフトは、システムインフォメーションに含まれる情報に少なくとも基づいて与えられてもよい。
【００３２】
端末装置１は、ステップ５１０１を実施する前に、ランダムアクセスチャネルの送信方法に関連する情報を取得する。例えば、ランダムアクセスチャネルの送信方法に関連する情報は、ターゲットセルとの同期、ランダムアクセスチャネルの送信タイミング、ランダムアクセスチャネルの構成、ランダムアクセスチャネルを介して送信されるビット系列の構成等であってもよい。例えば、端末装置１は、ターゲットセルの下りリンクと同期をとるために、基地局装置３より送信される同期信号（ＳＳ：Ｓｙｎｃｒｏｎｉｚａｔｉｏｎ  Ｓｉｇｎａｌ）を受信してもよい。同期は、時間領域の同期と周波数領域の同期のいずれか一方を少なくとも含む。
【００３３】
同期信号は、ＰＳＳ（Ｐｒｉｍａｒｙ  Ｓｙｎｃｈｒｏｎｉｚａｔｉｏｎ  Ｓｉｇｎａｌ）、および／または、ＳＳＳ（Ｓｅｃｏｎｄ  Ｓｙｎｃｈｒｏｎｉｚａｔｉｏｎ  Ｓｉｇｎａｌ）を含んでもよい。
【００３４】
同期信号は、ターゲットセルのＩＤ（セルＩＤ）を含んで送信されてもよい。または、同期信号は、セルＩＤに少なくとも基づき生成される系列を含んで送信されてもよい。セルＩＤは、少なくともセルを識別するために用いられてもよい。また、同期信号は、送信ビームが適用され、送信されてもよい。
【００３５】
同期信号は、該同期信号に適用されるビームのインデックス（ビームインデックス）を含んで送信されてもよい。ビームインデックスは、セルＩＤに含まれてもよい。ビームインデックスは、セルＩＤより引き出されてもよい（ｄｅｒｉｖｅ）。また、同期信号は、該同期信号に適用されるビームのインデックスに少なくとも基づき生成される系列を含んで送信されてもよい。ここで、ビームインデックスは、同期信号が送信される時間、および／または、周波数のインデックスと関連してもよい。また、ビームインデックスは、同期信号が送信されるＯＦＤＭシンボルのインデックスと関連してもよい。また、ビームインデックスは、同期信号が送信されるスロットのインデックスと関連してもよい。また、ビームインデックスは、同期信号が送信されるサブフレームのインデックスと関連してもよい。また、ビームインデックスは、所定の同期信号を特定インデックスであってもよい。例えば、同期信号は、所定の期間（例えば、スロット、または、サブフレーム等）の中で複数回送信されてもよい。ビームインデックスは、該所定の期間において送信される同期信号を識別するために用いられてもよい。ビームインデックスは、該所定の期間において送信される同期信号の位置を示すインデックスであってもよい。
【００３６】
端末装置１は、ターゲットセルより送信される報知チャネル（例えば、ＰＢＣＨ：Ｐｈｙｓｉｃａｌ  Ｂｒｏａｄｃａｓｔ  Ｃｈａｎｎｅｌ）を受信してもよい。報知チャネルは、端末装置１が必要とする重要なシステム情報を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を含んで送信されてもよい。ここで、重要情報ブロックは、システム情報の一部であってもよい。重要情報ブロックは、無線フレームの番号を含んでもよい。また、重要情報ブロックは、複数の無線フレームで構成されるスーパーフレーム内における位置に関する情報（例えば、スーパーフレーム内におけるシステムフレーム番号（ＳＦＮ：Ｓｙｓｔｅｍ  Ｆｒａｍｅ  Ｎｕｍｂｅｒ）の少なくとも一部を示す情報）を含んでもよい。また、報知チャネルは、ビームインデックスを含んでもよい。報知チャネルは、ランダムアクセスチャネルの送信方法に関連する情報の少なくとも一部を含んでもよい。ＭＩＢは、セルにおいて共通に用いられる情報であってもよい。ＭＩＢは、該ＭＩＢと関連する同期信号を検出する端末装置１のグループに対して共通に用いられる情報であってもよい。
【００３７】
ＭＩＢは、上位層のチャネル（ｌｏｇｉｃａｌ  ｃｈａｎｎｅｌ）において、ＢＣＣＨ（Ｂｒｏａｄｃａｓｔ  Ｃｏｎｔｒｏｌ  Ｃｈａｎｎｅｌ）にマップされる。ＭＩＢは、物理層のチャネル（Ｐｈｙｓｉｃａｌ  ｃｈａｎｎｅｌ）において、報知チャネルにマップされる。
【００３８】
ここで、上位層のチャネルは、送信される情報の種類（ｔｙｐｅ）によって定義される。例えば、ＢＣＣＨは、報知システム制御情報（Ｂｒｏａｄｃａｓｔｉｎｇ  ｓｙｓｔｅｍ  ｃｏｎｔｒｏｌ  ｉｎｆｏｒｍａｔｉｏｎ）を送信するために用いられる上位層のチャネルである。ここで、報知システム制御情報は、例えば、ＭＩＢである。また、ＣＣＣＨ（Ｃｏｍｍｏｎ  Ｃｏｎｔｒｏｌ  Ｃｈａｎｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【００３９】
ここで、物理層のチャネルは、報知チャネル、ランダムアクセスチャネル、制御チャネル、共有チャネルの一部、または、全部を少なくともを含む。
【００４０】
端末装置１は、少なくとも報知チャネルに含まれる情報に基づき、システム情報の少なくとも一部を受信してもよい。第１の初期接続のための制御チャネルに含まれる下りリンクグラントによって指示される共有チャネルに、システム情報の少なくとも一部が含まれてもよい。また、ＰＢＣＨに含まれる情報によって指示される共有チャネルに、システム情報の少なくとも一部が含まれてもよい。
【００４１】
システム情報は、端末装置１がセルにアクセスするための情報を少なくとも含んでもよい。また、システム情報は、複数の端末装置１に対して共通である無線リソース設定情報を少なくとも含んでもよい。ここで、無線リソース設定情報は、下りリンクのための無線リソースの設定に関する情報であってもよい。また、無線リソース設定情報は、上りリンクのための無線リソース設定情報であってもよい。ここで、上りリンクのための無線リソース設定情報は、ランダムアクセスチャネルの送信方法に関連する情報の少なくとも一部を含んでもよい。また、上りリンクのための無線リソース設定情報は、ランダムアクセスチャネルのリソース設定のための情報を含んでもよい。また、システム情報は、少なくとも一部のシステム情報のリソース割り当て情報を少なくとも含んでもよい。
【００４２】
システム情報のリソース割り当ては、システム情報の少なくとも一部を含むブロック（ＳＩＢ：Ｓｙｓｔｅｍ  Ｉｎｆｏｒｍａｔｉｏｎ  Ｂｌｏｃｋ）ごとに設定されてもよい。基地局装置３は、ＳＩＢを１つのセルにおいて報知してもよいし、端末装置１に個別に送信されてもよい。
【００４３】
ＳＩＢ１（Ｓｙｓｔｅｍ  Ｉｎｆｏｒｍａｔｉｏｎ  Ｂｌｏｃｋ  Ｔｙｐｅ  １）は、端末装置１がセルにアクセスするための情報（例えば、ｐｌｍｎＩｄｅｎｔｉｔｙＬｉｓｔ）を少なくとも含む。ＳＩＢ１は、第１の初期接続のための制御チャネルに含まれる下りリンクグラントによって指示される共有チャネルで送信される。
【００４４】
一方、ＳＩＢ１は、ＢＣＣＨにマップされる。ＳＩＢ１は、１つのセルにおいて報知される情報である。
【００４５】
ＳＩＢ２（Ｓｙｓｔｅｍ  Ｉｎｆｏｒｍａｔｉｏｎ  Ｂｌｏｃｋ  Ｔｙｐｅ  ２）は、物理層のパラメータを少なくとも含む。ここで、物理層のパラメータは、例えば、ランダムアクセスチャネルの送信方法に関連する情報である。ＳＩＢ２は、初期接続のための制御チャネルに含まれる下りリンクグラントによって指示される共有チャネルで送信される。
【００４６】
一方、ＳＩＢ２は、ＢＣＣＨにマップされる。ＳＩＢ２は、１つのセルにおいて報知される情報である。
【００４７】
ステップ５１０２は、端末装置１が所定の物理チャネルを少なくとも所定の期間においてモニタする動作を含んでもよい。例えば、所定の物理チャネルは、制御チャネル（Ｃｏｎｔｒｏｌ  Ｃｈａｎｎｅｌ）であってもよい。制御チャネルは、例えば、ＰＤＣＣＨ（Ｐｈｙｓｉｃａｌ  Ｄｏｗｎｌｉｎｋ  Ｃｏｎｔｒｏｌ  Ｃｈａｎｎｅｌ）であってもよい。制御チャネルは、例えば、下りリンク制御情報（ＤＣＩ：Ｄｏｗｎｌｉｎｋ  Ｃｏｎｔｒｏｌ  Ｉｎｆｏｒｍａｔｉｏｎ）の少なくとも一部を含んで送信されてもよい。ここで、下りリンク制御情報は、下りリンクのリソース割り当て情報を含んでもよい。下りリンクのリソース割り当て情報は、下りリンクグラント（ＤＬ  Ｇｒａｎｔ：Ｄｏｗｎｌｉｎｋ  Ｇｒａｎｔ）とも呼称される。また、下りリンク制御情報は、上りリンクのリソース割り当て情報を含んでもよい。上りリンクリソース割り当て情報は、上りリンクグラント（ＵＬ  Ｇｒａｎｔ：Ｕｐｌｉｎｋ  Ｇｒａｎｔ）とも呼称される。また、下りリンク制御情報は、端末装置１を含む端末装置のグループのために用いられる情報を含んでもよい。また、下りリンク制御情報は、所定のセルにおいて報知される情報を含んでもよい。下りリンク制御情報は、少なくとも、制御チャネルがマップされうる領域（制御リソースセット（Ｃｏｎｔｒｏｌ  ｒｅｓｏｕｒｃｅ  ｓｅｔ）、制御チャネル領域（Ｃｏｎｔｒｏｌ  Ｃｈａｎｎｅｌ  Ｒｅｇｉｏｎ、Ｃｏｎｔｒｏｌ  Ｒｅｇｉｏｎ））を指示する情報を含んでもよい。ここで、制御チャネルがマップされうる領域を指示する情報は、制御チャネルがマップされうる領域に含まれるＯＦＤＭシンボルの数であってもよい。つまり、制御チャネルがマップされうる領域を指示する情報は、時間領域に関する情報が含まれてもよい。制御リソースセットは、チャネルセットとも呼称される。制御チャネルの構成、および、制御チャネルの詳細は後述される。端末装置１は、制御チャネルがマップされうる領域を指示する情報が与えられることによって、制御チャネルをモニタすることができる。下りリンクグラントおよび上りリンクグラントは、グラントとも呼称される。
【００４８】
ここで、制御チャネルがマップされうる領域を指示する情報は、ＢＣＣＨにマップされてもよい。また、制御チャネルがマップされうる領域を指示する情報は、ＣＣＣＨにマップされてもよい。また、制御チャネルがマップされうる領域を指示する情報は、ＤＣＣＨにマップされてもよい。
【００４９】
例えば、ステップ５１０２において、所定の下りリンク制御情報を含む制御チャネルを受信してもよい。該所定の下りリンク制御情報は、上りリンクグラントを含んでもよい。また、該所定の下りリンク制御情報は、下りリンクグラントを含んでもよい。下りリンクグラントは、共有チャネル（または、データチャネル）のリソース割り当て情報であってもよい。ここで、共有チャネルは、物理共有チャネル（ＰＳＣＨ：Ｐｈｙｓｉｃａｌ  Ｓｈａｒｅｄ  Ｃｈａｎｎｅｌ）とも呼称される。ここで、共有チャネルは、物理下りリンク共有チャネル（Ｐｈｙｓｉｃａｌ  Ｄｏｗｎｌｉｎｋ  Ｓｈａｒｅｄ  Ｃｈａｎｎｅｌ）、物理上りリンク共有チャネル（Ｐｈｙｓｉｃａｌ  Ｕｐｌｉｎｋ  Ｓｈａｒｅｄ  Ｃｈａｎｎｅｌ）の少なくとも一方を含んでもよい。物理下りリンク共有チャネルは、下りリンク共有チャネルであってもよい。物理上りリンク共有チャネルは、上りリンク共有チャネルであってもよい。
【００５０】
ステップ５１０２において下りリンクグラントを含む制御チャネルを受信した場合、該下りリンクグラントにより指示される共有チャネルは、上りリンクグラントを含んでもよい。該上りリンクグラントは、ランダムアクセスレスポンスグラントとも呼称される。該上りリンクグラントは、ステップ５１０３において端末装置１より送信される第１のメッセージを含む共有チャネルのためのリソース割り当て情報であってもよい。一方、上りリンクグラントは、物理上りリンク共有チャネルのリソース割り当て情報を含んでもよい。
【００５１】
ここで、端末装置１がステップ５１０２においてモニタする制御チャネルは、第１の初期接続のための制御チャネルとも呼称される。第１の初期接続のための制御チャネルは、第１の初期接続のために用いられる系列（例えば、ＲＮＴＩ：Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ：Ｒａｎｄｏｍ  Ａｃｃｅｓｓ  −  ＲＮＴＩ）に基づきマスクされたＣＲＣ系列を含んでもよい。つまり、端末装置１は、第１の初期接続のための制御チャネルのモニタにおいて、ＲＡ−ＲＮＴＩを用いてもよい。
【００５２】
第１の初期接続手順のための制御チャネルは、セル内の端末装置１において共通な制御チャネルであってもよい。または、第１の初期接続手順のための制御チャネルは、端末装置１のグループに共通な制御チャネルであってもよい。例えば、ＢＣＣＨまたはＣＣＣＨにマップされた、制御チャネルがマップされうる領域を指示する情報が、セル内の端末装置、および／または、端末装置１のグループに共通な制御チャネルがマップされうる領域を示してもよい。また、第１の初期接続手順のための制御チャネル以外の制御チャネルの少なくとも一部は、端末装置１に固有な制御チャネルであってもよい。例えば、ＤＣＣＨにマップされた、制御チャネルがマップされうる領域を指示する情報が、第１の初期接続手順のための制御チャネル以外の制御チャネルの少なくとも一部がマップされうる領域を示してもよい。
【００５３】
ステップ５１０３は、端末装置１がターゲットセルへの接続をリクエストするために用いられる第１のメッセージを含む物理上りリンク共有チャネルを送信する動作を含んでもよい。第１のメッセージは、第１の初期接続手順において、端末装置１がターゲットセルへの接続をリクエストするために用いられてもよい。
【００５４】
ステップ５１０４は、第１のメッセージに対する応答である第２のメッセージをモニタする（または、受信を期待する）動作を含んでもよい。第２のメッセージは、基地局装置３によって第１のメッセージが適切に受信されたことを示すメッセージであってもよい。第２のメッセージは、第１の初期接続手順において、他の端末装置との衝突（Ｃｏｎｔｅｎｔｉｏｎ）が発生しなかったことを示すメッセージであってもよい。第２のメッセージは、衝突の解決（Ｃｏｎｔｅｎｔｉｏｎ  ｒｅｓｏｌｕｔｉｏｎ）のために送信されてもよい。第２のメッセージは、ｃｏｎｔｅｎｔｉｏｎ  ｒｅｓｏｌｕｔｉｏｎメッセージとも呼称される。第２のメッセージは、端末装置固有のＩＤを含んでもよい。該ＩＤは、例えば、Ｓ−ＴＭＳＩ（ＳＡＥ（Ｓｙｓｔｅｍ  Ａｒｃｈｉｔｅｃｔｕｒｅ  Ｅｖｏｌｕｔｉｏｎ）  −Ｔｅｍｐｏｒａｒｙ  Ｍｏｂｉｌｅ  Ｓｕｂｓｃｒｉｂｅｒ  Ｉｄｅｎｔｉｔｙ）であってもよい。
【００５５】
図５は、本実施形態の一態様に係る第２の初期接続手順（２−ｓｔｅｐ  ｃｏｎｔｅｎｔｉｏｎ  ｂａｓｅｄ  ＲＡＣＨ  ｐｒｏｃｅｄｕｒｅ）の一例を示す図である。第２の初期接続手順は、ステップ５２０１とステップ５２０２の少なくとも一部を含んで構成されてもよい。
【００５６】
ステップ５２０１は、ランダムアクセスチャネル、および／または、上りリンク共有チャネルを送信するステップを含む。端末装置１は、上りリンク共有チャネルのリソースを指示する情報を含むランダムアクセスチャネルと該上りリンク共有チャネルを送信してもよい。該上りリンク共有チャネルは、第１のメッセージを含んでもよい。ここで、ステップ５２０１において、ランダムアクセスチャネルの代わりに制御チャネルが端末装置１より送信されてもよい。該制御チャネルは、上りリンク制御チャネル（ＰＵＣＣＨ：Ｐｈｙｓｉｃａｌ  ＵｐｌｉｎｋＣｏｎｔｒｏｌ  Ｃｈａｎｎｅｌ）であってもよい。端末装置１は、上りリンク共有チャネルのリソースを指示する情報を含む上りリンク制御チャネルと該上りリンク共有チャネルを送信してもよい。
【００５７】
上りリンク制御チャネルは、トランスポートブロックの復号が成功裏に完了したか否かを示す情報（ＡＣＫ：Ａｃｋｎｏｗｌｅｄｇｅｍｅｎｔ、ＨＡＲＱ−ＡＣＫ：Ｈｙｂｒｉｄ  Ａｕｔｏｍａｔｉｃ  Ｒｅｑｕｅｓｔ  −  ＡＣＫ）を含んでもよい。また、上りリンク制御チャネルは、参照信号や同期信号に基づき推定されたチャネル状態情報（ＣＳＩ：Ｃｈａｎｎｅｌ  Ｓｔａｔｅ  Ｉｎｆｏｒｍａｔｉｏｎ）を含んで送信されてもよい。また、上りリンク制御チャネルは、スケジューリングリクエスト（ＳＲ：Ｓｃｈｅｄｕｌｉｎｇ  Ｒｅｑｕｅｓｔ）を含んでもよい。
【００５８】
下りリンク制御チャネルは、下りリンク共有チャネルの始まりを示すスタートシンボル（Ｓｔａｒｔ  ｓｙｍｂｏｌ）に関連する情報を含んでもよい。該スタートシンボルに関連する情報は、該下りリンク制御チャネルに基づき割り当てられる下りリンク共有チャネルのために用いられてもよい。
【００５９】
下りリンク制御チャネルに少なくとも基づき、スタートシンボルが与えられてもよい。例えば、下りリンク制御チャネルがマップされるＯＦＤＭシンボルのためのインデックスに基づき、スタートシンボルが与えられてもよい。例えば、下りリンク制御チャネルがマップされるＯＦＤＭシンボルのためのインデックスがＸｓｔａｒｔである場合に、スタートシンボルはＸｓｔａｒｔ＋２であってもよいし、Ｘｓｔａｒｔ＋１であってもよいし、Ｘｓｔａｒｔであってもよい。また、下りリンク制御チャネルが複数のＯＦＤＭシンボルにマップされる場合に、Ｘｓｔａｒｔは該下りリンク制御チャネルがマップされる先頭のＯＦＤＭシンボルのためのインデックスであってもよいし、該下りリンク制御チャネルがマップされる最後のＯＦＤＭシンボルのためのインデックスであってもよい。
【００６０】
ステップ５２０２は、所定の下りリンク制御チャネルをモニタする動作を含む。該制御チャネルは、第２の初期接続のための制御チャネルとも呼称される。第２の初期接続のための制御チャネルは、ランダムアクセスレスポンスグラントを含んでもよい。また、第２の初期接続のための制御チャネルは、衝突の解決のために用いられてもよい。また、第２の初期接続のための制御チャネルは、第２のメッセージを含んでもよい。また、第２の初期接続のための制御チャネルは、端末装置固有のＩＤを含んでもよい。
【００６１】
第１の初期接続手順は、端末装置１がＲＲＣアイドルの場合に用いられてもよい。第２の初期接続手順は、端末装置１がＲＲＣアイドルの場合に用いられてもよい。第１の初期接続手順は、端末装置１がＲＲＣ中断の場合に用いられてもよい。第２の初期接続手順は、端末装置１がＲＲＣ中断の場合に用いられてもよい。また、第１の初期接続手順は、端末装置１がＲＲＣアイドルの場合に少なくとも用いられ、第２の初期接続手順は、端末装置１がＲＲＣ中断の場合に用いられてもよい。
【００６２】
以下、本実施形態に係る物理リソースの単位について説明する。
【００６３】
図６は、本実施形態の一態様に係るスロットに含まれるリソースエレメントの一例を示した図である。ここで、リソースエレメント（ＲＥ：Ｒｅｓｏｕｒｃｅ  Ｅｌｅｍｅｎｔ）は、１つのＯＦＤＭシンボルと１つのサブキャリアにより定義される単位である。図６に示されるように、スロットは、Ｎｓｙｍｂ個のＯＦＤＭシンボルを含む。また、サブキャリアの数は、リソースブロックの数ＮＲＢと、リソースブロックあたりのサブキャリア数ＮＲＢＳＣの積により与えられてもよい。ここで、リソースブロックは、時間／周波数領域のリソースエレメントのグループを示す。リソースブロックは、時間領域、および／または、周波数領域のリソース割り当ての単位として用いられてもよい。例えば、ＮＲＢＳＣは１２であってもよい。Ｎｓｙｍｂは、サブフレームに含まれるＯＦＤＭシンボルの数と同一であってもよい。Ｎｓｙｍｂは、スロットに含まれるＯＦＤＭシンボルの数と同一であってもよい。ＮＲＢは、セルの帯域幅と第１のサブキャリア間隔に基づき与えられてもよい。また、ＮＲＢは、セルの帯域幅と第２のサブキャリア間隔に基づき与えられてもよい。また、ＮＲＢは、基地局装置３より送信される上位層の信号（例えば、ＲＲＣシグナリング）等に基づき与えられてもよい。また、ＮＲＢは、仕様書の記載等に基づき与えられてもよい。リソースエレメントは、サブキャリアのためのインデックスｋと、ＯＦＤＭシンボルのためのインデックスｌにより識別される。
【００６４】
ここで、ＲＲＣシグナリングは、少なくとも、共通のＲＲＣシグナリング（ｃｏｍｍｏｎ  ＲＲＣ  ｓｉｇｎａｌｉｎｇ）、個別のＲＲＣシグナリング（ｄｅｄｉｃａｔｅｄ  ＲＲＣ  ｓｉｇｎａｌｉｎｇ）を含む。共通のＲＲＣシグナリングは、ＣＣＣＨにマップされる情報を送信するシグナリングである。また、個別のＲＲＣシグナリングは、ＤＣＣＨにマップされる情報を送信するシグナリングである。
【００６５】
以下、制御チャネルのマッピングについて説明する。
【００６６】
制御リソースセットは、端末装置１がモニタする制御チャネル（または、制御チャネルの候補）のセットであってもよい。制御リソースセットは、端末装置１がモニタする制御チャネル（または、制御チャネルの候補）のセットを含んでもよい。
【００６７】
ここで、第１の初期接続のための制御チャネルを含む制御リソースセットは、第１の制御リソースセットとも呼称される。第１の制御リソースセットは、セル内の端末装置において共通な制御リソースセットであってもよい。第１の制御リソースセットに含まれ、且つ、端末装置１がモニタする制御チャネル（または、制御チャネルの候補）のセットは、ＣＳＳ（Ｃｏｍｍｏｎ  Ｓｅａｒｃｈ  Ｓｐａｃｅ）とも呼称される。
【００６８】
第１の制御リソースセットの領域を示す情報は、ＢＣＣＨにマップされてもよい。第１の制御リソースセットの領域を示す情報は、ＭＩＢ、および／または、ＳＩＢにより報知される情報に少なくとも基づき与えられてもよい。第１の制御リソースセットの領域を示す情報は、第１の制御リソースセットに含まれるＯＦＤＭシンボルの数の設定に用いられる情報であってもよい。第１の制御リソースセットに含まれるＯＦＤＭシンボルの数は、１つのセル、または、複数のセルにおいて共通に設定されてもよい。第１の制御リソースセットに含まれるＯＦＤＭシンボルの数は、ＭＩＢ、および／または、ＳＩＢにより報知される情報に少なくとも基づき与えられてもよい。
【００６９】
ＣＳＳの領域を示す情報は、ＢＣＣＨにマップされてもよい。例えば、ＣＳＳの領域を示す情報は、ＣＳＳを構成するＯＦＤＭシンボルの数の設定に用いられる情報であってもよい。ＣＳＳを構成するＯＦＤＭシンボルの数は、１つのセル、または、複数のセルにおいて共通に設定されてもよい。ＣＳＳを構成するＯＦＤＭシンボルの数は、ＭＩＢ、および／または、ＳＩＢにより報知される情報に少なくとも基づき与えられてもよい。
【００７０】
また、第２の初期接続のための制御チャネルを含む制御リソースセットは、第２の制御リソースセットとも呼称される。第２の制御リソースセットは、セル内の端末装置において共通な制御リソースセットであってもよい。第２の制御リソースセットに含まれ、且つ、端末装置１がモニタする制御チャネル（または、制御チャネルの候補）のセットは、ＣＳＳとも呼称される。
【００７１】
また、端末装置１に固有に設定される制御リソースセットは、第３の制御リソースセットとも呼称される。第３の制御リソースセットは、第１の制御リソースセットを含まなくてもよい。第３の制御リソースセットは、第２の制御リソースセットを含まなくてもよい。第３の制御リソースセットは、第１の制御リソースセットを含んでもよい。第３の制御リソースセットは、第２の制御リソースセットを含んでもよい。第３の制御リソースセットに含まれ、且つ、端末装置１がモニタする制御チャネル（または、制御チャネルの候補）のセットは、ＵＳＳ（ＵＥ  ｓｐｅｃｉｆｉｃ  −  Ｓｅａｒｃｈ  Ｓｐａｃｅ）とも呼称される。
【００７２】
第３の制御リソースセットの領域を示す情報は、ＤＣＣＨにマップされてもよい。第３の制御リソースセットの領域を示す情報は、個別のＲＲＣシグナリング（ｄｅｄｉｃａｔｅｄ  ＲＲＣ  ｓｉｇｎａｌｉｎｇ）に少なくとも基づき与えられてもよい。例えば、第３の制御リソースセットの領域を示す情報は、第３の制御リソースセットに含まれるＯＦＤＭシンボルの数の設定に用いられる情報であってもよい。第３の制御リソースセットに含まれるＯＦＤＭシンボルの数は、個別のＲＲＣシグナリングに基づき少なくとも与えられてもよい。
【００７３】
ＵＳＳの領域を示す情報は、ＤＣＣＨにマップされてもよい。ＵＳＳの領域を示す情報は、個別のＲＲＣシグナリングに少なくとも基づき与えられてもよい。例えば、ＵＳＳの領域を示す情報は、個別のＲＲＣシグナリングに少なくとも基づき与えられてもよい。
【００７４】
以下、端末装置１および基地局装置３のビームの対応関係を説明する。ここで、ビームは、受信ビーム、および／または、送信ビームを示す。以下では、下りリンクの無線通信を例にとり説明を行うが、本実施形態の種々の態様は、上りリンクの無線通信においても好適である。
【００７５】
図７は、本実施形態の一態様に係る下りリンク送信における端末装置１および基地局装置３のビームの対応関係の一例を示す図である。図７において、端末装置１は、３つの受信ビーム（受信ビーム＃１、受信ビーム＃２、受信ビーム＃３）を備え、基地局装置３は、３つの送信ビーム（送信ビーム＃１、送信ビーム＃２、送信ビーム＃３）を備える。ここで、斜線で示される領域は、反射、散乱、回折、屈折等により搬送波信号が曲折する現象を模式的に示している。
【００７６】
ここで、物理信号は、送信ビームが適用されることにより所定の放射パターンが与えられてもよい。送信ビームは、方向に応じて利得が異なる現象を示してもよい。送信ビームは、物理信号が無線空間（伝搬路、チャネル、無線区間）に向けて放射されるために用いられるアンテナの指向性に少なくとも基づき与えられてもよい。また、送信ビームは、物理信号の変換により与えられる搬送波信号（Ｃａｒｒｉｅｒ  ｓｉｇｎａｌ）の位相変換処理に少なくとも基づき与えられてもよい。また、送信ビームは、物理信号の位相変換処理（またはプレコーダ乗算）に少なくとも基づき与えられてもよい。ここで、物理信号は、同期信号、参照信号、および、物理層のチャネルの一部または全部を少なくともを含む。
【００７７】
ここで、基地局装置３より送信される物理信号は、端末装置１において受信ビームが適用されることにより所定の受信パターンで受信されてもよい。受信ビームは、方向に応じて利得が異なる現象を示してもよい。受信ビームは、物理信号が無線空間を介して受信されるために用いられるアンテナの指向性に少なくとも基づき与えられてもよい。また、受信ビームは、受信される搬送波信号（Ｃａｒｒｉｅｒ  ｓｉｇｎａｌ）の位相変換処理に少なくとも基づき与えられてもよい。また、受信ビームは、搬送波信号の変換により与えられる物理信号の位相変換処理（またはプレコーダ乗算）に少なくとも基づき与えられてもよい。
【００７８】
図７において、送信ビーム＃１と受信ビーム＃１はビームペア＃１を形成する。また、送信ビーム＃２と受信ビーム＃２はビームペア＃２を形成する。また、送信ビーム＃３と受信ビーム＃３はビームペア＃３を形成する。ビームペアは、送信ビームと受信ビームのペアにより与えられる。ビームペアを形成することによって、最適な受信特性を得ることができる。ここで、最適な受信特性とは、受信した物理信号を復調・復号可能な特性のことであってもよい。また、ビームペアは、最適な受信特性が得られる場合には、送信ビームのみ、または、受信ビームのみで形成されてもよい。なお、ビームペアを形成する送信ビームと受信ビームのビーム幅（例えば、３ｄＢビーム幅）は同じ幅でなくてもよい。また、ビームペアは、端末装置１と基地局装置３が好適に下りリンク送信を行うことができるように与えられることが好適である。例えば、基地局装置３より送信される物理信号に所定の送信ビームが適用される場合に、該物理信号の受信のために所定の受信ビームが適用されることが好適である場合、該所定の送信ビームと該所定の受信ビームがビームペアを形成することが好適である。ここで、該所定の送信ビームとビームペアを形成する該所定の受信ビームは、該所定の送信ビームが適用される条件の下、最も受信特性の良好な受信ビームであってもよい。または、該所定の送信ビームとビームペアを形成する該所定の受信ビームは、該所定の送信ビームが適用される条件の下、最も受信特性の良好な複数の受信ビームの中の１つであってもよい。
【００７９】
図７のように、端末装置１および基地局装置３において、複数のビームペアが設定されることが望ましい。例えば、端末装置１の移動に伴い、ビームペア＃２が使用不能となる場合でも、ビームペア＃１、および／または、ビームペア＃３を用いて通信が可能となるためである。
【００８０】
複数のビームペアは、ビームペアのグループを構成してもよい。特に記載のない限り、ビームペアはビームペアのグループであってもよい。また、ビームペアは、１または複数の送信ビームと、１または複数の受信ビームにより構成されてもよい。
【００８１】
物理信号に所定のビームが適用されることは、物理信号に所定のビームが対応する、とも呼称されてもよい。
【００８２】
以下、物理信号と受信ビームの対応関係を説明する。
【００８３】
物理信号が受信ビームに対応することは、物理信号に所定のアンテナポートが対応することであってもよい。ここで、所定のアンテナポートは、該受信ビームとビームペアを形成する送信ビームに対応してもよい。つまり、物理信号が受信ビームに対応することは、物理信号に、所定の送信ビームに対応するアンテナポートが対応することであってもよい。物理信号に対応する受信ビームは、物理信号が対応するアンテナポートであってもよい。アンテナポートは、該受信ビームとビームペアを形成する送信ビームに対応するアンテナポートであってもよい。
【００８４】
ここで、アンテナポートは、あるアンテナポートのあるシンボルが搬送するチャネルが同じアンテナポートの他のシンボルが搬送するチャネルから推定されることができるものと定義される。すなわち、例えば、第１の物理チャネルと第１の参照信号が、同一のアンテナポートのシンボルで搬送（ｃｏｎｖｅｙ）される場合、第１の物理チャネルの伝搬路補償を第１の参照信号によって行うことができる。ここで、同一のアンテナポートとは、アンテナポートの番号（アンテナポートを識別するための番号）が、同一であることであってもよい。ここで、該シンボルは、例えば、ＯＦＤＭシンボルの少なくとも一部であってもよい。また、該シンボルは、リソースエレメントであってもよい。
【００８５】
また、物理信号が受信ビームに対応することは、物理信号に所定の送信ビームが対応することであってもよい。つまり、物理信号に対応する受信ビームは、物理信号に所定の送信ビームが対応するか否かを示してもよい。ここで、所定の送信ビームは、該受信ビームとビームペアを形成してもよい。
【００８６】
また、物理信号が受信ビームに対応することは、物理信号に所定のビームペアが対応することであってもよい。所定のビームペアは、該受信ビームを含んで構成されてもよい。つまり、物理信号に対応する受信ビームは、該受信ビームを含んで構成されるビームペアであってもよい。
【００８７】
また、物理信号が受信ビームに対応することは、物理信号に対応する第１のアンテナポートと、第２のアンテナポートと、がＱＣＬ（Ｑｕａｓｉ  Ｃｏ−Ｌｏｃａｔｉｏｎ）であることでもよい。ここで、第１のアンテナポートと第２のアンテナポートがＱＣＬであるとは、第１のアンテナポートのあるシンボルが搬送するチャネルの性質の少なくとも一部が第２のアンテナポートの他のシンボルが搬送するチャネルから推定されることができることであってもよい。該チャネルの性質は、ビーム、受信電力（受信電力値、受信電力密度、受信強度等）、送信電力（送信電力値、送信電力密度、送信強度等）、タイミングアドバンス（TA: Timing advance）、到来角度（AoA: Angle of Arival）、ドップラシフト、遅延スプレッド（または、最大遅延時間等）、遅延広がり（遅延拡がり、瞬時遅延広がり、瞬時遅延拡がり等）の一部または全部を少なくとも含んでもよい。ここで、第２のアンテナポートは、該受信ビームに対応するＣＳＩ−ＲＳ（Ｃｈａｎｎｅｌ  Ｓｔａｔｅ  Ｉｎｆｏｒｍａｔｉｏｎ  −  Ｒｅｆｅｒｅｎｃｅ  Ｓｉｇｎａｌ）に対応するアンテナポートであってもよい。また、第２のアンテナポートは、該受信ビームに対応する同期信号に対応するアンテナポートであってもよい。つまり、物理信号に対応する受信ビームは、物理信号に設定される第１のアンテナポートと第２のアンテナポートがＱＣＬであるか否かを示してもよい。
【００８８】
また、物理信号が受信ビームに対応することは、物理信号に関連付けられるビームインデックスが所定のビームに対応していることであってもよい。ここで、所定のビームは、所定のビームペアに含まれてもよい。
【００８９】
以下、制御チャネルと受信ビームの対応関係について説明する。
【００９０】
図８は、本実施形態の一態様に係るスロットに含まれる物理信号と受信ビームの対応関係の例を示す図である。図８において、パターンなしのブロックで示されるスロットに含まれる物理信号は受信ビーム＃１に対応する。また、斜線パターンのブロックで示されるスロットに含まれる物理信号は受信ビーム＃２に対応する。また、格子パターンのブロックで示されるスロットに含まれる物理信号は受信ビーム＃３に対応する。つまり、物理信号に対応する受信ビームは、スロット単位で与えられてもよい。物理信号に対応する受信ビームは、スロットごとに異なってもよい。
【００９１】
図８（ａ）は、スロットに含まれる物理信号に対応する受信ビームのパターンが周期的である一例である。また、図８（ｂ）は、スロットに含まれる物理信号に対応する受信ビームのパターンが非周期的である一例である。図８（ｂ）において、スロット＃６に含まれる制御チャネルに基づき、スロット＃７に含まれる物理信号に対応する受信ビームが、受信ビーム＃１から受信ビーム＃２に切り替わっている。このように、スロットに含まれる物理信号に対応する受信ビームのパターンは、周期的または非周期的に与えられてもよい。
【００９２】
所定の期間に含まれる第１の物理信号に対応する第１の受信ビームと、該所定の期間に含まれる第２の物理信号に対応する第２の受信ビームは、同一であってもよい。所定の期間は、１または複数のスロットにより与えられてもよい。例えば、所定の期間は、１スロット、２スロット、３スロット、１０スロットであってもよい。また、所定の期間は、１または複数のＯＦＤＭシンボルにより与えられてもよい。例えば、所定の期間は、１ＯＦＤＭシンボル、２ＯＦＤＭシンボル、３ＯＦＤＭシンボル、７ＯＦＤＭシンボル、１４ＯＦＤＭシンボルであってもよい。
【００９３】
所定の期間は、制御リソースセットがリソースエレメントにマップされる範囲を示してもよい。また、所定の期間は、ＣＳＳがリソースエレメントにマップされる範囲を示してもよい。また、所定の期間は、ＵＳＳがリソースエレメントにマップされる範囲を示してもよい。
【００９４】
所定の期間において生じる物理信号に対応する受信ビームは、少なくとも物理信号のタイプ（種類）に基づいて与えられてもよい。所定の期間において生じる第１の物理信号に対応する第１の受信ビームと該第１の物理信号に対応する第２の受信ビームはそれぞれ異なってもよいし、同じであってもよい。
【００９５】
所定の期間において生じる物理信号に対応する受信ビームは、仕様書等の記載に基づき与えられてもよい。また、所定の期間において生じる物理信号に対応する受信ビームは、上位層の信号（ＭＩＢ、ＳＩＢ、共通のＲＲＣシグナリング、個別のＲＲＣシグナリング、ＭＡＣ層の信号等）に少なくとも基づき与えられてもよい。上位層の信号は、ＭＩＢ、ＳＩＢ，共通のＲＲＣシグナリング、個別のＲＲＣシグナリングおよびＭＡＣ層の信号の一部または全部を含んでもよい。また、所定の期間において生じる物理信号に対応する受信ビームは、下りリンク制御情報に少なくとも基づき与えられてもよい。つまり、所定の期間において生じる第１の物理信号に対応する第１の受信ビームと第２の物理信号に対応する第２の受信ビームが与えられる方法は異なってもよい。例えば、所定の期間において生じる制御チャネルに対応する第１の受信ビームは上位層の信号に少なくとも基づき与えられ、所定の期間において生じる参照信号に対応する第２の受信ビームは下りリンク制御情報に少なくとも基づき与えられてもよい。ここで、ＭＡＣ層の信号は、ＭＡＣ  ＣＥ（Ｍｉｄｉｕｍ  Ａｃｃｅｓｓ  Ｃｏｎｔｒｏｌ  Ｃｏｎｔｒｏｌ  Ｅｌｅｍｅｎｔ）であってもよい。
【００９６】
所定の期間において生じる物理信号に対応する受信ビームは、該物理信号の送信を指示する情報（該物理信号のリソース割り当てに関連する情報、符号化に用いられるインデックス、グラント等）を含む物理層のチャネルに対応する受信ビームであってもよい。例えば、所定の期間において生じる報知チャネルに対応する受信ビームは、該報知チャネルの送信を指示する情報を含む物理信号（例えば、ＰＳＳ、または、ＳＳＳ等）に対応する受信ビームであってもよい。また、所定の期間において生じる共有チャネルに対応する受信ビームは、該共有チャネルの送信を指示する情報（グラント）を含む制御チャネルに対応する受信ビームであってもよい。
【００９７】
所定の期間（または、第１の期間）において生じる第１の物理信号に第１の受信ビームが対応し、かつ、第２の物理信号が該所定の期間において生じる場合に、第２の物理信号は第１の受信ビームに対応してもよい。また、所定の期間（または、第１の期間）において生じる第１の物理信号に第１の受信ビームが対応し、かつ、第２の物理信号が第２の期間において生じる場合に、第２の物理信号は第２の受信ビームに対応してもよい。なお、第２の期間において生じる第１の物理信号は第１の受信ビームに対応してもよい。ここで、該第１の期間と該第２の期間は、個別に規定される期間であってもよい。また、該第１の期間と該第２の期間は、個別に設定されてもよい。つまり、該第１の期間と該第２の期間は、個別のパラメータであってもよい。
【００９８】
第１の物理信号は、同期信号、参照信号、物理層のチャネルのいちぶまたは全部を少なくとも含んでもよい。また、第２の物理信号は、同期信号、参照信号、物理層のチャネルの少なくともいずれかを含んでもよい。例えば、第１の物理信号は制御チャネルを含み、第２の物理信号はＣＳＩ−ＲＳを含んでもよい。第１の物理信号は制御チャネルを含み、第２の物理信号は共有チャネルを含んでもよい。第１の物理信号は同期信号を含み、第２の物理信号は制御チャネルを含んでもよい。第１の物理信号は同期信号を含み、第２の物理信号は制御チャネルを含んでもよい。また、第１の物理信号と第２の物理信号は、同じ種類の物理信号であってもよい。つまり、同じ種類の物理信号であっても、受信ビームまたはビームペアに対して優先順位が設けられてもよい。なお、第１の物理信号と第２の物理信号の組み合わせは、上記に限定されない。
【００９９】
所定の期間において生じる第１の物理信号の送信が、第１のＰＤＣＣＨによって指示される場合に、第１の物理信号は第１の受信ビームに対応してもよい。また、該所定の期間において生じる第１の物理信号の送信が、第２のＰＤＣＣＨによって指示される場合に、第１の物理信号は第２の受信ビームに対応してもよい。ここで、第１のＰＤＣＣＨは、第１のＲＮＴＩ（Ｒａｄｉｏ  Ｎｅｔｗｏｒｋ  Ｔｅｍｐｏｒａｒｙ  Ｉｄｅｎｔｉｆｉｅｒ）でマスクされたＣＲＣ（Ｃｙｃｌｉｃ  Ｒｅｄａｎｄａｎｃｙ  Ｃｈｅｃｋ）系列が付加されたＰＤＣＣＨであってもよい。また、第２のＰＤＣＣＨは、第２のＲＮＴＩでマスクされたＣＲＣ系列が付加されたＰＤＣＣＨであってもよい。また、第１のＰＤＣＣＨは、第１の受信ビームに対応してもよい。また、第２のＰＤＣＣＨは、第２の受信ビームに対応してもよい。また、第１のＰＤＣＣＨは、該所定の期間において検出されてもよいし、されなくてもよい。また、第２のＰＤＣＣＨは、該所定の期間において検出されてもよいし、されなくてもよい。また、第１のＰＤＣＣＨが第１の受信ビームに対応するか否かは、上位層の信号、下りリンク制御情報の少なくとも一部または全部に基づき与えられてもよい。また、第２のＰＤＣＣＨが第２の受信ビームに対応するか否かは、上位層の信号、下りリンク制御情報の少なくとも一部または全部に基づき与えられてもよい。また、ＰＤＣＣＨと物理信号が、同じ受信ビームに対応するか否かは、上位層の信号、下りリンク制御情報の少なくとも一部または全部に基づき与えられてもよい。
【０１００】
第１のＲＮＴＩは、Ｃ−ＲＮＴＩ（Ｃｅｌｌ  ｓｐｅｃｉｆｉｃ  −  ＲＮＴＩ）であってもよい。第２のＲＮＴＩは、ＳＰＳ  Ｃ−ＲＮＴＩ（Ｓｅｍｉ  Ｐｅｒｓｉｓｔｅｎｔ  Ｓｃｈｅｄｕｌｉｎｇ  Ｃ−ＲＮＴＩ）であってもよい。
【０１０１】
第１のＲＮＴＩは、Ｃ−ＲＮＴＩであってもよい。第２のＲＮＴＩは、ＲＡ−ＲＮＴＩ（Ｒａｍｄｏｍ  Ａｃｃｅｓｓ  −  ＲＮＴＩ）であってもよい。ここで、第２のＲＮＴＩがＲＡ−ＲＮＴＩである場合に、第２の受信ビームは、第２のＰＤＣＣＨに関連するＰＲＡＣＨの送信をトリガする第３のＰＤＣＣＨ（ＰＤＣＣＨ  ｏｒｄｅｒ）に対応してもよい。ここで、ＰＤＣＣＨ  ｏｒｄｅｒは、ランダムアクセスチャネルの送信をトリガする機能を備えてもよい。ＰＤＣＣＨ  ｏｒｄｅｒは、ランダムアクセスチャネルのインデックスを指示するフィールドを少なくとも含んでもよい。ＰＤＣＣＨ  ｏｒｄｅｒは、ランダムアクセスチャネルにおいて送信されるランダムアクセスプリアンブルのインデックスに関連する情報を少なくとも含んでもよい。
【０１０２】
第１の受信ビームは、第１のアンテナポートに読み替えられてもよい。第２の受信ビームは、第２のアンテナポートに読み替えられてもよい。ここで、第１のアンテナポートは、第１の受信ビームに対応してもよい。また第２のアンテナポートは、第２の受信ビームに対応してもよい。
【０１０３】
第１の受信ビームは、第１の送信ビームに読み替えられてもよい。第２の受信ビームは、第２の送信ビームに読み替えられてもよい。ここで、第１の受信ビームと第１の送信ビームは第１のビームペアを形成してもよい。また、第２の物理信号は第２の受信ビームと対応してもよい。また、第２の受信ビームと第２の送信ビームは第２のビームペアを形成してもよい。
【０１０４】
第１の受信ビームは、第１のビームペアに読み替えられてもよい。第２の受信ビームは、第２のビームペアに読み替えられてもよい。ここで、第１の物理信号は第１の受信ビームと対応してもよい。第２の物理信号は第２の受信ビームと対応してもよい。第１のビームペアは第１の受信ビームを少なくとも含んで構成されてもよい。第２のビームペアは第２の受信ビームを少なくとも含んで構成されてもよい。
【０１０５】
第１の物理信号に第１の受信ビームが対応することは、第１の物理信号に対応する第１のアンテナポートと、第２のアンテナポートが、ＱＣＬであることであってもよい。第２の物理信号に第２の受信ビームが対応することは、第２の物理信号に対応する第３のアンテナポートと、第４のアンテナポートが、ＱＣＬであることであってもよい。第２の物理信号に第１の受信ビームが対応することは、第２の物理信号に対応する第３のアンテナポートと、第２のアンテナポートが、ＱＣＬであることであってもよい。
【０１０６】
第１の受信ビームは、第１のビームインデックスに読み替えられてもよい。第２の受信ビームは、第２のビームインデックスに読み替えられてもよい。
【０１０７】
所定の期間（または、第１の期間）において生じる第１の物理信号に第１の受信ビームが対応し、かつ、第２の物理信号が該所定の期間において生じる場合に、第２の物理信号が第１の受信ビームに対応するか第２の受信ビームに対応するかは、端末装置１より送信される機能情報に少なくとも基づき与えられてもよい。ここで、機能情報とは、端末装置１が所定の機能を備えるか否かを示す情報である。機能情報は、端末装置１から基地局装置３に送信される。機能情報の送信は、ＲＲＣシグナリングに基づき行われてもよい。機能情報は、所定の期間において受信ビームの切り替えを行う機能を備えるか否かを指示する情報であってもよい。
【０１０８】
機能情報は、所定の期間（または、第１の期間）において生じる第１の物理信号に第１の受信ビームが対応し、かつ、第２の物理信号が該所定の期間において生じる場合に、第２の物理信号が第１の受信ビームに対応するか第２の受信ビームに対応するか否かを示す情報であってもよい。
【０１０９】
以下、本実施形態に係る端末装置１の装置構成について説明する。
【０１１０】
図９は、本実施形態の一態様に係る端末装置１の構成例を示す概略ブロック図である。図示されるように、端末装置１は、上位層処理部１０１、制御部１０３、受信部１０５、送信部１０７および、送受信アンテナ１０９の少なくとも１つを含んで構成される。上位層処理部１０１は、無線リソース制御部１０１１、スケジューリング部１０１３の少なくとも１つを含んで構成される。受信部１０５は、復号化部１０５１、復調部１０５３、多重分離部１０５５、無線受信部１０５７とチャネル測定部１０５９の少なくとも１つを含んで構成される。送信部１０７は、符号化部１０７１、共有チャネル生成部１０７３、制御チャネル生成部１０７５、多重部１０７７、無線送信部１０７９と上りリンク参照信号生成部１０７１１の少なくとも１つを含んで構成される。
【０１１１】
上位層処理部１０１は、ユーザーの操作等により生成された上りリンクデータを、送信部１０７に出力する。また、上位層処理部１０１は、媒体アクセス制御（ＭＡＣ：  Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：  ＰＤＣＰ）層、無線リンク制御（Ｒａｄｉｏ  Ｌｉｎｋ  Ｃｏｎｔｒｏｌ：  ＲＬＣ）層、無線リソース制御（Ｒａｄｉｏ  Ｒｅｓｏｕｒｃｅ  Ｃｏｎｔｒｏｌ：  ＲＲＣ）層の処理を行なう。また、上位層処理部１０１は制御チャネルで受信された下りリンク制御情報などに基づき、受信部１０５、および送信部１０７の制御を行なうために制御情報を生成し、制御部１０３に出力する。なお、媒体アクセス制御層の処理の一部は、制御部１０３において実施されてもよい。
【０１１２】
上位層処理部１０１が備える無線リソース制御部１０１１は、自装置の各種設定情報の管理を行なう。該各種設定情報には、無線リソース制御に関する設定やＲＲＭ測定／報告やＣＳＩ測定／報告に関する設定、送信電力制御に関する設定、物理チャネル／物理信号に関する設定、セルまたはビームに関する設定が含まれてもよい。該設定情報は、基地局装置３によって提供され、設定される情報であってもよい。また、無線リソース制御部１０１１は、上りリンクの各チャネルに配置される情報を生成し、送信部１０７に出力する。
【０１１３】
スケジューリング部１０１３は、受信部１０５を介して受信した下りリンク制御情報を記憶する。スケジューリング部１０１３は、受信された上りリンクグラントに従って共有チャネルを送信するよう、制御部１０３を介して送信部１０７を制御する。スケジューリング部１０１３は、下りリンクグラントを受信したサブフレームにおいて、受信された下りリンクグラントに従って共有チャネルを受信するよう、制御部１０３を介して受信部１０５を制御する。ここで、グラントは、共有チャネルに割り当てられるリソースを指示する情報であってもよい。
【０１１４】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１１５】
制御部１０３は、媒体アクセス制御層の処理の一部（例えば、再送の指示等）を行う機能を備えてもよい。制御部１０３は、上位層処理部１０１に含まれる機能であってもよい。
【０１１６】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１１７】
無線受信部１０５７は、送受信アンテナ１０９を介して受信した下りリンクの信号を復調し、復調されたアナログ信号をディジタル信号に変換する。例えば、無線受信部１０５７は、ディジタル信号に対して高速フーリエ変換（Ｆａｓｔ  Ｆｏｕｒｉｅｒ  Ｔｒａｎｓｆｏｒｍ：  ＦＦＴ）を行い、周波数領域の信号を抽出してもよい。無線受信部１０５７は、送受信アンテナ１０９を介して受信する信号に対して位相変換処理を施す受信ビームを適用してもよい。無線受信部１０５７は、該信号に含まれる物理信号に対応する所定の受信ビームが対応する場合、該信号に対して該受信ビームを適用してもよい。該信号に含まれる物理信号と所定の受信ビームの対応関係は、制御部１０３より指示されてもよい。
【０１１８】
多重分離部１０５５は、抽出した信号を制御チャネル（または、制御リソースセット）、共有チャネル、および、参照信号に、それぞれ分離する。多重分離部１０５５は、分離した参照信号をチャネル測定部１０５９、および／または、多重分離部１０５５に出力する。
【０１１９】
多重分離部１０５５は、制御チャネル、および／または、共有チャネルのチャネル等化（Ｃｈａｎｎｅｌ  Ｅｑｕａｌｉｚａｔｉｏｎ）を行う。チャネル等化後の制御チャネル、および／または、共有チャネルは、復調部１０５３に出力される。多重分離部１０５５は、制御チャネル、および／または、共有チャネルに対して受信ビームを適用してもよい。多重分離部１０５５は、該制御チャネル、および／または、該共有チャネルに対応する所定の受信ビームが対応する場合、該制御チャネル、および／または、該共有チャネルに対して所定の受信ビームを適用してもよい。該制御チャネル、および／または、該共有チャネルと所定の受信ビームの対応関係は、制御部１０３より指示されてもよい。
【０１２０】
チャネル測定部１０５９は、同期信号、および／または、参照信号に基づきチャネル測定を行う。チャネル測定に基づき与えられるチャネル測定値は、多重分離部１０５５へ出力される。
【０１２１】
復調部１０５３は、制御チャネル、および／または、共有チャネルに対して、ＢＰＳＫ、ＱＰＳＫ、１６ＱＡＭ、６４ＱＡＭ等の変調方式に対する復調を行ない、復号化部１０５１へ出力する。
【０１２２】
復号化部１０５１は、下りリンクデータの復号を行い、復号した下りリンクデータを上位層処理部１０１へ出力する。
【０１２３】
送信部１０７は、制御部１０３から入力された制御信号に従って、上りリンク参照信号を生成し、上位層処理部１０１から入力された上りリンクデータや上りリンク制御情報を符号化および変調し、共有チャネル、制御チャネル、参照信号を多重し、送受信アンテナ１０９を介して基地局装置３に送信する。
【０１２４】
符号化部１０７１は、上位層処理部１０１から入力された制御情報と上りリンクデータを符号化して符号化ビットを生成し、符号化ビットを共有チャネル生成部１０７３、および／または、制御チャネル生成部１０７５に出力する。
【０１２５】
共有チャネル生成部１０７３は、符号化部１０７１から入力された符号化ビットを変調して変調シンボルを生成し、変調シンボルを少なくともＤＦＴすることによって共有チャネルを生成し、多重部１０７７へ出力してもよい。共有チャネル生成部１０７３は、符号化部１０７１から入力された符号化ビットを変調して共有チャネルを生成し、多重部１０７７へ出力してもよい。
【０１２６】
制御チャネル生成部１０７５は、符号化部１０７１から入力された符号化ビット、および／または、スケジューリングリクエストに基づいて、制御チャネルを生成し、多重部１０７７へ出力する。
【０１２７】
上りリンク参照信号生成部１０７１１は上りリンク参照信号を生成し、生成した上りリンク参照信号を多重部１０７７へ出力する。
【０１２８】
多重部１０７７は、制御部１０３から入力された制御信号に従って、共有チャネル生成部１０７３から入力された信号、および／または、制御チャネル生成部１０７５から入力された信号、および／または、上りリンク参照信号生成部１０７１１から入力された上りリンク参照信号を、送信アンテナポート毎に上りリンクのリソースに多重する。多重部１０７７は、多重された信号を無線送信部１０７９に出力する。
【０１２９】
無線送信部１０７９は、多重された信号に対して逆高速フーリエ変換（Ｉｎｖｅｒｓｅ  Ｆａｓｔ  Ｆｏｕｒｉｅｒ  Ｔｒａｎｓｆｏｒｍ：  ＩＦＦＴ）を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート:  ｕｐ  ｃｏｎｖｅｒｔ）し、余分な周波数成分を除去し、電力増幅し、送受信アンテナ１０９に出力して送信する。
【０１３０】
以下、本実施形態に係る基地局装置３の装置構成について説明する。
【０１３１】
図１０は、本実施形態の一態様に係る基地局装置３の構成例を示す概略ブロック図である。図示されるように、基地局装置３は、上位層処理部３０１、制御部３０３、受信部３０５、送信部３０７、および、送受信アンテナ３０９の少なくとも１つを含んで構成される。また、上位層処理部３０１は、無線リソース制御部３０１１とスケジューリング部３０１３の少なくとも１つを含んで構成される。また、受信部３０５は、データ復調／復号部３０５１、制御情報復調／復号部３０５３、多重分離部３０５５、無線受信部３０５７とチャネル測定部３０５９の少なくとも１つを含んで構成される。また、送信部３０７は、符号化部３０７１、変調部３０７３、多重部３０７５、無線送信部３０７７と下りリンク参照信号生成部３０７９の少なくとも１つを含んで構成される。
【０１３２】
上位層処理部３０１は、媒体アクセス制御（ＭＡＣ：  Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：  ＰＤＣＰ）層、無線リンク制御（Ｒａｄｉｏ  Ｌｉｎｋ  Ｃｏｎｔｒｏｌ：  ＲＬＣ）層、無線リソース制御（Ｒａｄｉｏ  Ｒｅｓｏｕｒｃｅ  Ｃｏｎｔｒｏｌ：  ＲＲＣ）層の処理を行なう。また、上位層処理部３０１は、受信部３０５、および送信部３０７の制御を行なうために制御情報を生成し、制御部３０３に出力する。なお、媒体アクセス制御層の処理の一部は、制御部３０３において実施されてもよい。
【０１３３】
上位層処理部３０１が備える無線リソース制御部３０１１は、下りリンクの共有チャネルに配置される下りリンクデータ、ＲＲＣ  ｓｉｇｎａｌｉｎｇ、ＭＡＣ  ＣＥ（ＭＡＣ  Ｃｏｎｔｒｏｌ  Ｅｌｅｍｅｎｔ）を生成し、又は上位ノードから取得し、スケジューリング部３０１３、または、制御部３０３に出力することができる。また、無線リソース制御部３０１１は、端末装置１各々の各種設定情報の管理をする。
【０１３４】
上位層処理部３０１が備えるスケジューリング部３０１３は、端末装置１に割り当てる共有チャネルや制御チャネルの無線リソースの管理を行う。スケジューリング部３０１３は、端末装置１に共有チャネルの無線リソースを割り当てた場合には、共有チャネルの無線リソースの割り当てを示す上りリンクグラントを生成し、生成した上りリンクグラントを送信部３０７へ出力する。
【０１３５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１３６】
制御部３０３は、媒体アクセス制御層の処理の一部（例えば、再送の指示等）を行う機能を備えてもよい。
【０１３７】
受信部３０５は、制御部３０３から入力された制御信号に従って、送受信アンテナ３０９を介して端末装置１から受信した受信信号を分離、復調、復号し、復号した情報を上位層処理部３０１に出力する。
【０１３８】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Ｆａｓｔ  Ｆｏｕｒｉｅｒ  Ｔｒａｎｓｆｏｒｍ：  ＦＦＴ）を行い、周波数領域の信号を抽出し多重分離部３０５５に出力する。
【０１３９】
多重分離部３０５５は、無線受信部３０５７から入力された信号を制御チャネル、共有チャネル、参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれてもよい。多重分離部３０５５は、チャネル測定部３０５９から入力された伝搬路の推定値から、制御チャネルと共有チャネルの伝搬路の補償を行なう。また、多重分離部３０５５は、分離した参照信号をチャネル測定部３０５９に出力する。
【０１４０】
多重分離部３０５５は、分離した制御チャネルと共有チャネルから、上りリンクデータを含む変調シンボルと上りリンク制御情報を含む変調シンボルを取得する。多重分離部３０５５は、共有チャネルの信号から取得した上りリンクデータを含む変調シンボルをデータ復調／復号部３０５１へ出力する。多重分離部３０５５は、制御チャネルまたは共有チャネルから取得した上りリンク制御情報を含む変調シンボルを制御情報復調／復号部３０５３へ出力する。
【０１４１】
チャネル測定部３０５９は、多重分離部３０５５から入力された上りリンク参照信号から伝搬路の推定値、チャネルの品質などを測定し、多重分離部３０５５および上位層処理部３０１に出力する。
【０１４２】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【０１４３】
制御情報復調／復号部３０５３は、多重分離部３０５５から入力された上りリンク制御情報を含む変調シンボルからＨＡＲＱ−ＡＣＫを復号する。制御情報復調／復号部３０５３は、復号した上りリンク制御情報を上位層処理部３０１、または、制御部３０３へ出力することができる。
【０１４４】
送信部３０７は、制御部３０３から入力された制御信号に従って、下りリンク参照信号を生成し、上位層処理部３０１から入力された下りリンク制御情報、下りリンクデータを符号化、および変調し、制御チャネル、制御リソースセット、共有チャネル、参照信号の一部、または、全部を含んで、送受信アンテナ３０９を介して端末装置１に信号を送信する。送信部３０７は、制御チャネル、制御リソースセット、共有チャネル、参照信号の一部または全部に送信ビームを適用してもよい。
【０１４５】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。変調部３０７３は、変調シンボルに送信プリコーディングを適用してもよい。送信プレコーディングは、送信プレコードを含んでもよい。なお、送信プレコーディングとは、送信プレコーダが乗算される（適用される）ことであってもよい。送信プレコーダは、ＤＦＴ（または、ＤＦＴ拡散であってもよい）であってもよい。
【０１４６】
下りリンク参照信号生成部３０７９は下りリンク参照信号を生成する。多重部３０７５は、各チャネルの変調シンボルと下りリンク参照信号を多重し、送信シンボルを生成する。
【０１４７】
多重部３０７５は、送信シンボルにプレコーダを適用してもよい。多重部３０７５が送信シンボルに適用するプレコーダは、下りリンク参照信号、および／または、変調シンボルに対して適用されてもよい。また、下りリンク参照信号に適用されるプレコーダと、変調シンボルに対して適用されるプレコーダは、同一であってもよいし、異なってもよい。
【０１４８】
プレコーダは、ビームを形成する方法の一つである。プレコーダは、１、または、複数の送信アンテナから送信される送信シンボルに適用される位相回転を、送信アンテナごとに与える演算子（ベクトル）である。複数の送信シンボルを同一の時間／周波数において多重する空間多重方式（ＳＤＭ：Ｓｐａｔｉａｌ  Ｄｉｖｉｓｉｏｎ  Ｍｕｌｔｉｐｌｅｘ）において、複数の送信シンボルのために少なくとも１つのベクトルが与えられるため、プレコーダは行列で表現されてもよい。
【０１４９】
無線送信部３０７７は、多重された送信シンボルなどを逆高速フーリエ変換（Ｉｎｖｅｒｓｅ  Ｆａｓｔ  Ｆｏｕｒｉｅｒ  Ｔｒａｎｓｆｏｒｍ：  ＩＦＦＴ）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: ｕｐ  ｃｏｎｖｅｒｔ）し、余分な周波数成分を除去し、搬送波信号（Ｃａｒｒｉｅｒ  ｓｉｇｎａｌ，  Ｃａｒｒｉｅｒ，  ＲＦ  ｓｉｇｎａｌ等）を生成する。無線送信部３０７７は、搬送波信号に対して、電力増幅し、送受信アンテナ３０９に出力して送信する。無線送信部３０７７は、搬送波信号に対して、送信ビームを適用してもよい。
【０１５０】
以下、本実施形態の一態様に係る種々の装置の態様を説明する。
【０１５１】
（１）上記の目的を達成するために、本発明の態様は、以下のような手段を講じた。すなわち、本発明の第１の態様は、端末装置であって、少なくとも第１の物理信号および／または第２の物理信号を受信する受信部を備え、前記第１の物理信号は第１の期間において生じ、前記第１の期間において前記第１の物理信号は第１のビームに対応し、前記第１の期間において前記第２の物理信号が生じる場合に、前記第２の物理信号は前記第１のビームに対応し、第２の期間において前記第２の物理信号が生じる場合に、前記第２の物理信号は第２のビームに対応する。
【０１５２】
（２）また、本発明の第１の態様において、前記第１の期間は、トランスポートブロックがマップされる単位（スロット）である。
【０１５３】
（３）また、本発明の第２の態様は、端末装置であって、ＰＤＣＣＨを復号する復号化部と、ＰＤＣＣＨに少なくとも基づきＰＤＳＣＨを受信する受信部を備え、前記ＰＤＳＣＨは第１のスロットにおいて生じ、前記ＰＤＣＣＨが、第１のＲＮＴＩに基づきマスクされるＣＲＣ系列が付加される第１のＰＤＣＣＨである場合に、前記ＰＤＳＣＨは第１のビームに対応し、前記ＰＤＣＣＨが、第２のＲＮＴＩに基づきマスクされるＣＲＣ系列が付加される第２のＰＤＣＣＨである場合に、前記ＰＤＳＣＨは第２のビームに対応する。
【０１５４】
（４）また、本発明の第２の態様において、前記第１のビームは、前記第１のＰＤＣＣＨに対応する、または、前記第１のＰＤＣＣＨにより指示される。
【０１５５】
（５）また、本発明の第３の態様は、基地局装置であって、少なくとも第１の物理信号および／または第２の物理信号を送信する送信部を備え、前記第１の物理信号は第１の期間において送信され、前記第１の期間において前記第１の物理信号は第１のビームに対応し、前記第１の期間において前記第２の物理信号が送信される場合に、前記第２の物理信号は前記第１のビームに対応し、第２の期間において前記第２の物理信号が送信される場合に、前記第２の物理信号は第２のビームに対応する。
【０１５６】
（６）また、本発明の第３の態様において、前記第１の期間は、トランスポートブロックがマップされる単位（スロット）である。
【０１５７】
（７）また、本発明の第４の態様は、基地局装置であって、ＰＤＣＣＨおよびＰＤＳＣＨを符号化する符号化部と、前記ＰＤＣＣＨおよび前記ＰＤＳＣＨを送信する送信部を備え、前記ＰＤＣＣＨは前記ＰＤＳＣＨの割り当て情報を含み、前記ＰＤＳＣＨは第１のスロットにおいて送信され、前記ＰＤＣＣＨが、第１のＲＮＴＩに基づきマスクされるＣＲＣ系列が付加される第１のＰＤＣＣＨである場合に、前記ＰＤＳＣＨは前記第１のスロットに対応する第１のビームに対応し、前記ＰＤＣＣＨが、第２のＲＮＴＩに基づきマスクされるＣＲＣ系列が付加される第２のＰＤＣＣＨである場合に、前記ＰＤＳＣＨは第２のビームに対応する。
【０１５８】
（８）また、本発明の第４の態様において、前記第１のビームは、前記第１のＰＤＣＣＨに対応する、または、前記第１のＰＤＣＣＨにより指示される。
【０１５９】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１６０】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１６１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１６４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１６５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１６６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１６７】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１６８】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０１６９】
１（１Ａ、１Ｂ、１Ｃ）  端末装置
３  基地局装置
１０１、３０１  上位層処理部
１０３、３０３  制御部
１０５、３０５  受信部
１０７、３０７  送信部
１０９、３０９  送受信アンテナ
１０１１、３０１１  無線リソース制御部
１０１３、３０１３  スケジューリング部
１０５１  復号化部
１０５３  復調部
１０５５、３０５５  多重分離部
１０５７、３０５７  無線受信部
１０５９、３０５９  チャネル測定部
１０７１、３０７１  符号化部
１０７３  共有チャネル生成部
１０７５  制御チャネル生成部
１０７７、３０７５  多重部
１０７９、３０７７  無線送信部
１０７１１上りリンク参照信号生成部
３０５１  データ復調／復号部
３０５３  制御情報復調／復号部
３０７３  変調部
３０７９  下りリンク参照信号生成部
【図１】
2018159588.tif 000003
【図２】
2018159588.tif 000004
【図３】
2018159588.tif 000005
【図４】
2018159588.tif 000006
【図５】
2018159588.tif 000007
【図６】
2018159588.tif 000008
【図７】
2018159588.tif 000009
【図８】
2018159588.tif 000010
【図９】
2018159588.tif 000011
【図１０】
2018159588.tif 000012
【国際調査報告】
2018159588.tif 000013
2018159588.tif 000014